(57)【特許請求の範囲】
【請求項１】
螺子部（5e）と先端針（5a）を有し、下顎の所定部位に設置される触針（5）を備え、上顎において前記触針に対応する部位に設置される記録板に下顎の中心位顎間関係を記録する装置であって、前記触針（5）をその螺子部（5e）と螺合した状態で支持するボール（40）と、このボール（40）を回転可能に収容する曲面溝（53）を有し、かつ、このボール（40）を固定するように下部基板（60）と結合される支持板（50）と、この支持板（50）の下部に結合される基板（60）と、この基板（60）に固定され、先が歯牙（4）表面に安置されることにより基板（60）の位置を維持させる複数の支持部材（70）とを備えたことを特徴とする下顎の中心位顎間関係記録装置。
【請求項２】
上記支持板（50）と上記基板（60）とを上下に締結する締螺子（54）を備え、この締螺子（54）を緩めた状態でボール（40）が回転可能となり、締螺子（54）を締めた状態でボール（40）が固定されるようにしたことを特徴とする請求項１記載の下顎の中心位顎間関係記録装置。
【請求項３】
上記ボール（40）は、触針（5）を収容するように内部に貫通形成されたシリンダー溝（41）と、このシリンダー溝（41）をその軸方向に延長させるようにボール（40）の表面に形成されたスカット部（42）と、上記シリンダー溝（41）の少なくとも下部に形成され、上記触針（5）の螺子部（5e）と螺合する螺子溝（43）とを有することを特徴とする請求項１または２記載の下顎の中心位顎間関係記録装置。
【請求項４】
触針（5）は、その下部でボール（40）の螺子溝（43）と螺合する螺子部（5e）と、触針軸方向に沿って先端側に突出する先端針（5a）と、螺子部（5d）と先端針（5a）の間を連結してボール（40）内に収容される棒部（5d）とを有することを特徴とする請求項１〜３のいずれかに記載の下顎の中心位顎間関係記録装置。
【請求項５】
触針（5）は、先端針（5a）の露出長さを制限するための先端針ストッパー（5b）と、ストッパーから下方へ延長した先端針棒（5k）と、ストッパー（5b）と先端針棒（5k）を収容する触針溝（5f）を有する棒部（5d）と、棒部（5d）下部外周に形成されてボール（40）と螺合する螺子部（5e）と、上記先端針棒（5k）のストッパー（5b）に弾発力を提供するように上記触針溝（5f）に収容されるスプリング（5m）とを含むことを特徴とする請求項１〜３のいずれかに記載の下顎の中心位顎間関係記録装置。
【発明の詳細な説明】
【０００１】
【発明の属する技術分野】
本発明は、歯牙の補綴や義歯作成時等において、下顎骨の中心位顎間関係を知るために用いられる下顎の中心位顎間関係記録装置に関するものである。
【０００２】
【従来の技術】
一般に、一定の下顎位（Mandibular  Position）で上顎骨（Maxilla）に対する下顎骨（Mindible）の位置的関係を顎間関係（Maxilla-Mandibular  relation）というが、歯科患者の中で診断や治療のために新たな上顎骨と下顎骨の顎間関係を採得する場合には前後方、側方及び垂直の三次元的な顎間関係を正確に採得しなければならない。上顎骨に対する下顎骨の顎間関係において、基準点を中心位顎間関係（Central  relation）というが、これは患者の垂直高径（Vertical  Dimension）下で一定に反復的に採得される水平的顎間関係であって筋-神経系（Neuro-muscular  System）の非緊張性位置関係である。
【０００３】
このような中心位顎間関係を得るための方法としては様々な方式があるが、その中の一つとして、記録装置を口腔内の上顎と下顎に装着して患者自ら前後方及び左右側方運動するように誘導し、水平面上にゴシックアーチ描記（Gothic  Arch  Tracing）する（すなわち前後方及び左右側方運動の限界運動路を記録（record）する）方法がある。このような描記の一例を図１に示す。
【０００４】
この描記では、一般に、記録板（1）に頂点（2）を中心として前方限界運動路（2a）と左右両側方限界運動路（2b）が描かれる。これら頂点（2）、前方限界運動路（2a）、及び左右両側方限界運動路（2b）の形態は建築物に近似する形状をしており、これがゴシックアーチと名づけられた所以である。その頂点（2）が前方及び側方運動の始点（Starting  Point）であることを考慮し、下顎に付着された記録用触針（stylus）（詳細後述）が頂点（2）の位置にある時、これを中心位顎間関係（Centric  relation）にあると定義する。
【０００５】
この際、１）片顎（上顎あるいは下顎）が無歯顎である患者や、両顎（上顎と下顎）が無歯顎である患者については、その患者ごとに有する固有の垂直高径状態で水平的顎間関係を記録し、その頂点である中心位顎間関係を得て、その位置に中心咬合（Centric  Occlusion）を形成すればよい。
【０００６】
一方、２）両顎（上顎と下顎）が有歯顎である患者の場合には、記録時に歯牙が接しないように、患者固有の垂直高径より高くして歯牙を離開させた高さから水平的顎間関係を得なければならない。この時、患者固有の垂直高径との高さの差によって中心位顎間関係の測定誤差が発生し得るので、その誤差をなくすためには、下顎側に装着した触針が上顎側に装着した記録板に垂直に当接するようにすべく、前記触針の先端針（5a）が患者の開閉口運動路に沿ってヒンジ回転角（Angle of hinge rotation）に合うように、これを前方に傾けなければならない。
【０００７】
しかし、下顎に触針を設置するとき、その位置と歯牙の水平位置及び咬合平面との左右水平関係が不正確に装着されることにより、上顎骨に付着される記録板が上顎骨に対し左右側のいずれかの方向に傾くことになり、この場合には正確な記録にならない。
【０００８】
このような触針の設置状態を説明する前に下顎の構造について説明する。図２は下顎の構造を表した斜視図、図３は上顎骨（32）の側面図、図４は上顎骨（32）の底面図、図５は無歯顎状態の下顎骨の側面図、図６は図５の下顎骨の底面図であり、下顎骨（3）は上顎骨（31）（図３）と図２、図７及び図８に示す水平基準軸（Horizontal  axis）（3a）を中心に結合し、下顎骨（3）には歯牙（4）が結合される。
【０００９】
上記水平基準軸（3a）と２個の下顎中門歯（mandibular  central  incisor）同士の中央先端（Central  edge）とは斜線部分であるボンウィル三角（3b）をなし、歯牙（4）の水平面は咬合平面（Occlusal  plane）（3c）をなし、上記歯牙（4）の前方中央を前方中心とする垂直面を正中矢状平面（Median  sagittal  plane）（3d）と呼ぶ。図９のように具体的な例として、触針（5）は上記正中矢状平面（3d）と両下顎第１大臼歯（4a）の中心の交差点（3e）位置に設置する。
【００１０】
一方、上記下顎（3）は図７のように側面に図示することができる。下顎（3）の水平基準軸（3a）と歯牙（4）の前方中央とで形成されるボンウィル三角（3b）と、歯牙（4）の水平面をなす咬合平面（3c）とは、一定の角度をなし、これをバルクウィル角（Balkwill  angle）（3f）という。
【００１１】
１）有歯顎患者の場合、図２に示した交差点（3e）に上記触針（5）の先が位置するようにする。従って、図８のように、触針（5）の向きはボンウィル三角（3b）と直交し、垂直面に対してはバルクウィル角（3f）だけ前方へ傾く構造となる。具体的には、平均17度（下顎咬合平面（3）の垂直線に対し前方を向ける角度）で傾くように固定される。
【００１２】
このように、触針（5）は、理論上、バルクウィル角（3f）だけ前方に傾くのが好ましいが、患者によっては、水平基準軸（3a）を中心としながら、図８の地点（B1,B2）のようなヒンジ運動路（Hinge  movement  path）上に一致するように、触針（5）の角度を17度に限らず自由に調節することができなければならない。このことが、後述の本発明の解決課題につながる。
【００１３】
従来の触針（5）の構造具体例は次の通りである。図９のように、触針（5）は下顎の歯牙に設置される。この触針（5）は、支持板（6）に螺合状態で設置され、支持板（6）の両側には翼板（7）が螺子（8）で結合固定される。上記触針（5）は図１０のように支持板（６）に螺合し、内部中央の軸方向へは弾発針（5b）がスプリング（5c）に弾発されるよう設置された螺子体（5d）と、螺子体（5d）の上段を螺合して上段に先端針（5a）が一体となったナット体（5z）からなる。上記翼板（7）には結合部材（9）を介して針金（10）が固定される。
【００１４】
実際の使用時には、まず患者の歯型をとり、これを基に石膏で一般的な咬合機に歯牙形態に結合させて咬合機の歯牙状態で図９の記録装置（20）を組立て、この状態で図１０に示したように触針（5）にナット体（5z）を結合させた後、図１１に示すようにキャップ（11）を被せ、キャップ（11）に付着された針（11a）に記録板（1）を支持するようにする。
【００１５】
さらに咬合機上で上顎口開面（30）に該当する上記キャップ（11）対応部位に、一定時間が経過すれば固まる結合体（1a）を付け、咬合機上で上顎（31）を押すと、図１１の状態になる。その状態で数分が経過すると結合体（1a）が直ちに固まるので、この段階で咬合機上で上顎（31）を下顎（3）から分離させれば（図１１には咬合機の下顎（3）の図示を省略している。）、触針（5）とキャップ（11）は記録板（1）と分離され、記録板（1）は上顎（31）に付くようになる。その後、キャップ（11）を触針（5）から分離させる。
【００１６】
上記キャップ（11）及び記録板（1）の一例を図１２に示す。図において、キャップ（11）の針（11a）に対応する記録板（1）には針挿入孔（1b）があり、記録板と結合できるようになっていて、記録板（1）の前後段には記録板（1）の水平面に折り曲げられた結合突起（1c）が一体に形成されている。この結合突起（1c）は、結合体（1a）との接触面積を増大させようとする目的で記録板（1）に対して折り曲げられるものである。
【００１７】
このように収得した図９の記録装置（20）と、図１１の記録板（1）（結合体（1a）と一体となった状態）を患者の上顎と下顎を複製した模型（咬合機）から分離させた後、実際に患者の上顎と下顎に設置し、下顎を前方及び側方へ移動すれば図１のように描記が形成される。
【００１８】
実際には、患者の口腔で記録した記録板（1）を結合体（1a）と一緒に分離し、形成した描記の頂点（2）に対応する孔を有する別途の円板を孔と頂点が一致するように付けた後、患者の口腔内で、上顎歯牙と付着物（記録板（1））との間、及び、下顎歯牙と記録装置（20）との間をそれぞれ固定する。さらに、記録装置（20）と記録板（1）の間の上顎と下顎部位に別途の結合剤を入れて固着させた後、口腔から分離させ、再び咬合機上で上顎と下顎の複製模型に結合剤形態を口腔内で採得した顎間関係のまま再付着させ、これを基準にして補綴作業などを行ない安定された中心咬合を製作するようにする。これは特に有歯顎患者や部分有歯顎患者に必要であり、長期間使用してきた入歯患者などにおいて、中心位顎間関係が不確実な患者はこれを用いれば正確な顎間関係をなすことができる。
【００１９】
２）完全無歯顎患者の場合には、上顎に記録装置を設置し、下顎に記録板を設置する方式の咬合機（articulator）が米国特許第4,273,533号及び第4,279,595号で開発されている。ただし、これは無歯顎患者（edentulous  patient）に用いられるものであって、触針（stylus）が垂直状態に設置された状態で使用される構成であるため、使用に制限を受ける（特に有歯顎患者の使用の場合。）。
【００２０】
【発明が解決しようとする課題】
前記図１０に示した構造において、触針（5）の先端針（5a）は、下顎第１大臼歯（4a）の間の延長線上（図２の交差点（3e））に来るようにし、また17度傾くように配置される。しかし、触針（5）が支持板（6）に対して傾く状態で、先端針（5a）を支持するナット体（5b）が支持板（6）と干渉するのを避けるためには、図１０のような案内溝（6a）が必要となる。従って、この部分では距離（L1）だけしか螺合領域がなく、触針（5）の支持板（6）に対する支持力が弱くて触針（5）が揺れるおそれがあり、中心位顎間関係のための描記の収得の時の誤差発生の要因となり得る。さらに、触針（5）の位置が不安定であると舌が触針（5）に触れてしまうおそれもある。
【００２１】
また、当該触針（5）を設置した状態で、その向き（傾斜角度）を変化させることができないため、その設置角度を微調整することは極めて困難である。
【００２２】
本発明は以上の課題を解決しようとするものである。すなわち、本発明の目的は次の通りである。
【００２３】
Ａ．有歯顎患者にゴシックアーチ描記（Gothic  arch  tracing）する時歯牙に引っ掛り顎運動に妨害されるので患者の固有な垂直高径（Vertical  dimension）より高めて顎運動をさせなければならないため、垂直高径を増加させた状態でゴシックアーチ描記頂点を表示させねばならず、しかも、再び患者の垂直高径になるべく近く低めて上下顎顎間関係をバイト物質（Bite  material）で固めて採得しなければならない。この際、バイト物質の厚さが厚いほど患者状態と咬合機上に装着した時と誤差が発生するため、垂直高径の高低を調節する時上顎記録板に取れた頂点が特定の一点に取れるようにしなければならない。そのために、記録装置の触針を上下前後、左右に位置及び角度調節できるようにし、希望する位置でこれを患者のヒンジ運動（Hinge  movement）に合うように簡単にセッティングできるようにする。
【００２４】
Ｂ．ゴシックアーチ描記をする時の触針の揺れを減少させ、正確な中心位顎間関係記録ができるようにする。
【００２５】
【課題を解決するための手段】
上記課題を解決するための手段として、本発明は、螺子部と先端針を有し、下顎の所定部位に設置される触針を備え、上顎において前記触針に対応する部位に設置される記録板に下顎の中心位顎間関係を記録する装置であって、前記触針をその螺子部と螺合した状態で支持するボールと、このボールを回転可能に収容する曲面溝を有し、かつ、このボールを固定するように下部基板と結合される支持板と、この支持板の下部に結合される基板と、この基板に固定され、先が歯牙表面に安置されることにより基板の位置を維持させる複数の支持部材とを備えたものである。
【００２６】
すなわち、本発明は、螺子体をボール上のナットに結合させてボールは支持板と基板を使用し別途の螺子によって回転あるいは固定されるようにし、有歯顎患者と完全無歯顎患者の場合でそれぞれ異なる使用法にあうように触針の位置及び角度が調整できるようにしたものである。基板は、口腔内の歯牙の間に安置される大きさを有するようにし、支持針を介して歯牙表面に支持されるようにする。
【００２７】
この構成によれば、触針を患者に合うヒンジ運動路へ傾けられて垂直的顎間関係を変化させる場合にも記録板に一点のゴシックアーチ描記頂点を得ることができる。また、支持板を基板に支持するようにし、基板には支持針が固定（例えば螺合）されるようにすることで、便利で簡単に結合体を固めて使用することができる。
【００２８】
具体的に、上記支持板と上記基板とを上下に締結する締螺子を備え、この締螺子を緩めた状態でボールが回転可能となり、締螺子を締めた状態でボールが固定されるようにすれば、締螺子の操作だけで簡単にボールの回転及び固定操作、すなわち、触針の角度調整操作ができる。
【００２９】
上記ボールは、触針を収容するように内部に貫通形成されたシリンダー溝と、このシリンダー溝をその軸方向に延長させるようにボール表面に形成されたスカット部と、上記シリンダー溝の少なくとも下部に形成され、上記触針と螺合する螺子溝とを有するものが好適である。この構成によれば、触針がその下部で螺子溝と螺合しながらシリンダー溝内に安定して保持されるとともに、上記スカット部によって上記触針の保持領域を拡大することにより、その保持状態をより安定させることができる。
【００３０】
一方、触針は、その下部でボールと螺合する螺子部と、触針軸方向に沿って先端側に突出する先端針と、螺子部と先端針の間を連結してボールの例えばシリンダー溝内に収容される棒部とを有するものが好適である。
【００３１】
また、この触針は、先端針の露出長さを制限するための先端針ストッパーと、このストッパーから下方へ延長した先端針棒と、ストッパーと先端針棒を収容する触針溝を有する棒部と、棒部下部外周に形成されてボールと螺合する螺子部と、上記螺子部と螺合してその下部を塞ぐ補助螺子部と、上記先端針棒のストッパーに弾発力を提供するように上記触針溝に収容されるスプリングとを含む構成にすれば、より好ましい。
【００３２】
【発明の実施の形態】
本発明の実施の形態を図面に基づいて説明する。
【００３３】
図１３は有歯顎患者に本発明装置を適用した態様を示す平面図である。図において、歯牙（4）の下顎第１大臼歯（4a）の中心窩（4b）の延長線中央にナット構造のボール（40）の中央が位置するようにし、このボール（40）に触針（5）を螺合する。
【００３４】
ボール（40）は、基板（60）と、この基板（60）の上面と一定間隔を置き対立した支持板（50）とにより支持されるように構成する。具体的には、支持板（50）と基板（60）とが相互締螺子（54）によって締結されるようにし、この締結によってボール（40）を上下から圧迫するように構成する。すなわち、上記支持板（50）下部には歯牙の間の空間に安置される大きさの基板（60）が結合される（結合手段の例として締螺子（54）が挙げられる）。基板（60）の端部４個所にはそれぞれ、歯牙（4）表面に当接する（安置される）支持針（70）が螺子（71）結合で固定される。
【００３５】
図１４は、無歯顎患者に本発明装置を適用した態様を示す平面図である。この場合は、図示のように、使用するボール（40）の中央位置を有歯顎患者の場合と類似した位置（正中矢状平面と下顎第１大臼歯の中心窩の交差点対応部位）に位置させ、患者の個別トレー上に４個所の支持針（70）を結合させて位置を固定するようにする。
【００３６】
図１５は図１３のA-A線拡大断面図である。図示の触針（5）は、棒部（5d）の先端に先端針（5a）を有し、下段に螺子部（5e）を有しており、この螺子部（5e）が前記ナット構造のボール（40）と螺合されている。このボール（40）は、曲面溝である弧形溝（53）を有する支持板（50）及び基板（60）により保持されている。具体的には、両板（50）(60）を一定間隔を置き対置させた状態でこれらを締結する締螺子（54）を締め付けることにより、ボール（40）の締め作用が得られる。
【００３７】
上記支持板（50）下部に結合される基板（60）には支持針（70）が螺子（71）で結合される。
【００３８】
上記ボール（40）が挿入される触針（5）の下部には螺子部（5e）が形成されて中央は棒状の棒部（5d）をなし、棒部（5e）上段は先端針（5a）をなす。上記棒部（5d）を収納すべく、ボール（40）にはこれを直径方向に貫くシリンダー溝（41）が形成されている。ボール（40）の上段にはシリンダー溝（41）をその軸方向に延長するための（すなわちシリンダー溝（41）から延長される内径を有する管状の）スカット部（42）がボール（40）の表面に一体に突出形成され、触針（5）でゴシックアーチ描記する時に当該触針（5）の揺れを防止する役割を果たす。上記螺子部（5e）に対応するボール（40）の部位には螺子溝（43）が形成される。
【００３９】
なお、転写板として機能するキャップ（11）は、記録板（1）を支持する触針（5）の先端針（5a）に差込まれる。
【００４０】
図１６は、無歯顎患者に適用する場合において、記録板が上顎咬合平面に水平に付着される状態を示す断面図である。図示のように、上顎骨（31）には歯牙に相応する上顎個別トレー（maxilla  individual  tray）を設置し、下顎骨（3）にも、歯牙に相応する下顎個別トレー（mandible  individual  tray）を設置する。記録板（1）は上顎咬合平面に水平に付着させ、記録板（1）はこれに触針（5）が垂直に接するように装着する。基板（60）は、その端部４個所が患者の下顎の個別トレーに支持針（70）を介して結合固定される。記録板（1）は結合体（1a）で結合支持される。
【００４１】
図１７は本発明に使用される記録板（1）の斜視図である。この記録板（1）は、頂点（2）を含む描記予想部（1e）を中央に有し、その周辺に、記録板（1）の前後面及び側面から突出する結合突起（1d）と、左右の針挿入孔（1b）とを有する。この記録板（1）は、有歯顎患者では下顎咬合平面上の垂直線に対し前方傾斜（約17度程度）された状態で付着され、無歯顎患者では、上顎咬合平面に対して平行な状態で付着される。この付着は、以下の付着基準台を使用して左右傾斜を校正することにより、容易に行うことができる。
【００４２】
図１８は、下顎模型に本発明の記録装置（100）を正確に均衡的に装着するための付着基準台の斜視図である。この付着基準台（90）は板状をなし、触針（5）の先端針（5a）を下顎模型の中心とうまく水平にあうようにするためのものであり、先端針（5a）に差込まれる先端針溝（91）と、咬合平面上で左、右傾きを測定するようになる左右水平線（92）と、上記左右水平線（92）の各中央部に形成され歯牙の弧形をなし図２及び図７に示した咬合平面と一致するようになる弧形水平帯（93）と、上記左右水平線（92）と中央で直交した直交線（94）の先端部位に上顎骨の深さを測定するように下方へ突出された前方深さ測定バー（95）と、上方へ突出された垂直調整バー（96）とを備える。
【００４３】
図１９は、有歯顎患者に使用される付着基準台の例を示す分解斜視図であり、図２０はその使用状態を表す断面図である。図示の付着基準台（90）は、先端針（5a）に差込まれる先端針溝（91）と、咬合平面上で左右の傾きを測定するための数個の左右水平線（92）と、上記左右水平線（92）の各中央部に形成され、歯牙の弧形をなし、前記図２〜４及び図７に示した咬合平面（3c）と一致するようになる弧形水平帯（93）と、各弧形水平帯（93）の先端に形成した左右側方深さ測定溝（92b）と、上記左右水平線（92）と中央で直交した直交線（94）の先端部位を測定するように各患者ごとの下顎骨状態にあうように選択できるよう形成した数個の前方深さ測定溝（95a）に差込まれて下方へ突出結合する前方深さ測定バー（95）と、後方に位置した後方深さ測定バーである垂直調整バー（96）とを備える。
【００４４】
上記前方深さ測定バー（95）と後方深さ測定バー（96）は、左右側方深さ測定バー（92a）に対する前後方の基準線となる。即ち、左右水平線（92）には、患者上顎骨の大きさによってそれぞれ２個の左右深さ測定バー（92a）が対称に差込まれるように数個の左右側方深さ測定溝（92b）を設け、これに左右対称的に左右側方深さ測定バー（92a）を差込んで使用するようにする。
【００４５】
付着基準台（90）中央部位にはボルト挿通孔（98）を形成し、この部位に、上顎に付着される記録板（1）の上顎骨との左右水平関係を正確に合せるための誘導治具（97）を結合させる。
【００４６】
この誘導治具（97）は、前記ボルト挿通孔（98）に挿通される固定ボルト（97b）と、この固定ボルト（97b）を付着基準台（90）に対して垂直な状態で固定するための2個の固定ナット（97a）とを備え、固定ナット（97a）は付着基準台（90）の上下両側で固定ボルト（97b）と螺合され、締め付けられる。固定ボルト（97b）の頭部には、記録板（1）をこれと当接した状態で付着基準台（90）と水平な状態に維持する水平誘導面（97c）が形成されている。
【００４７】
この構成において、前方深さ測定バー（95）と後方深さ測定バー（96）を前後方基準線（正中矢状平面と一致）上に取り、この前後方基準線に対し左右側方深さ測定バー（92a）を同じ距離にある左右側方深さ測定溝（92b）に同じ深さで差込み、上顎骨の水平面にあわせることにより、付着基準台（90）の面が上顎骨と平行に維持され、この付着基準台（90）の面と平行な水平誘導面（97c）に記録板（1）を当てることにより、結果的に、記録板（1）は上顎骨に対して左右に傾かず左右対称状態で付着されることになる。
【００４８】
図１３は、有歯顎患者や、完成された完全入歯状態で顎関節機能障害のある患者の口腔内で咬合校正するときに使用する触針（5）の構成図であるが、その変形例を図２１の断面図、図２２の分解断面図に示す。
【００４９】
図示のように、触針（5）をなす棒部（5d）内部にその軸方向に沿って触針溝（5f）を形成し、先端針（5a）から延長される先端針棒（5k）が上記触針溝（5f）に案内されるようにする。触針溝（5f）の上段には、先端針棒（5k）が貫通しながら移動する先端針棒案内孔（5h）を触針溝（5f）と連通する状態に形成する。触針溝（5f）の下部には補助螺子溝（5n）を形成し、これに補助螺子部（5g）を螺合して下端開口を塞ぐ。
【００５０】
先端針棒（5k）の周囲にはスプリング（5m）を嵌め、これを上部の任意個所に突出した先端針ストッパー（5l）と補助螺子部（5g）との間に挟み込むことにより弾発力を得る。この弾発力により、上記ストッパー（5l）は上記先端針棒案内孔（5h）をもつ触針（5）の上壁に押付けられる。
【００５１】
以上説明した装置の使用要領を説明すると、まず、患者の歯型をとり、これを基に石膏で歯形（上下顎模型）をつくり、咬合機上で上下顎模型を口腔内に付着させる。完全無歯顎患者の場合には、閉口印象法（closed  mouth  impression  technique）によって得られた上下顎顎間関係で付着を行い、有歯顎患者は中心咬合位（centric  occlusion）状態で付着を行う。
【００５２】
次に、本発明の記録装置（100）を下顎に設置する。設置する時には図１８あるいは図１９のような付着基準台（90）を使用して便利に初期セッティングができる。すなわち、無歯顎患者では、まず付着基準台（90）を用いて触針（5）を下顎咬合平面に対して垂直に近い状態で立たせ、触針がうまく正位置に来るようにセッティングする。有歯顎患者では、付着基準台（90）を使用して触針（5）を下顎咬合平面に対して前方に17度程度だけ傾斜させて左右均衡を取る。
【００５３】
ここで、付着基準台（90）の前方深さ測定バー（95）、後方深さ測定バー（96）及び左右側方深さ測定バー（92a）は、前後方基準線を提供し、左右側方深さ測定バーは上顎骨と側方の水平関係を付与するため、上顎に対する記録板の装着時に左右の平行状態が得られ、上顎骨に対する歯列との不調和を予め診断することができる。この診断は、歯列校正や義歯の製作、あるいは有歯顎患者の治療に有用である。さらに、補綴を行う場合も、左右水平線（92）と直交線（94）及び弧形水平帯（93）を用いて対応部位の基準を速く取得することができる。
【００５４】
歯型が補綴や入歯を要する場合、上述の中心位顎間関係を測定するため、予め咬合機で図９に示す記録装置（100）を構築する。実際には、上記のように予め患者の歯牙形態によって支持針（70）を調整し、希望する位置に基板（60）を設置し、記録装置（100）を下顎模型で付着基準台（90）を用いて中心などの初期位置を取り、次いで締螺子（54）を締めて触針（5）を一定角度に固定する。完全無歯顎患者の場合には、触針（5）を下顎咬合平面に対して垂直の向きに固定し、有歯顎患者の場合には下顎咬合平面に対して前方に17度傾斜した状態で固定する。
【００５５】
この状態で、図１１に示すように、転写板として機能するキャップ（11）を触針（5）上段に被せ、咬合機の上顎対応部位すなわち上顎口開面（30）にゲル状の結合体（1a）を塗った後、咬合機の上顎部位を閉じる。これにより、図１１のように記録板（1）がキャップ（11）から結合体（1a）へ移り固定され、さらに一定時間が経過すれば記録板（1）を臨時固定させた結合体（1a）が固まる。この状態で、付着基準台を用いて記録板を上顎骨に合うように再調整した後、ゲル状の結合体で一体化させる。
【００５６】
その後、先端針（5a）にキャップ（11）を再び差込み、締螺子（54）を緩め、上顎記録板に対して触針（5）が垂直となる（すなわちキャップ（11）と記録板（1）が面接触する）ように触針（5）の角度を微調整した後、締螺子（54）を再び締めて触針（5）を固定する。この場合、記録板（1）の前後方部位に結合突起（1d）を設置するのが好ましい。これは結着力を増大させ転写を容易にするためである。
【００５７】
この状態で、上記記録板（1）を有する結合体（1a）と図9に示した記録装置（100）を咬合機から分離し、これらを患者の歯牙に図９のように結合させる（なお、患者自身の歯牙の形態と、歯型をとった咬合機に付着された歯牙模型の形態とが同じであるため、図９では区別なく患者の歯牙と咬合機の歯牙を同一に表している。）。
【００５８】
もし若干の誤差があれば、螺子などを調整して一定関係が得られるように再調整すればよい。ここで、両締螺子（54）のヘッド方向が相互反対になるように組立て、必要時ヘッドが上にある１つの締螺子（54）を操作するだけで再調整できるようにすれば便利である。
【００５９】
有歯顎患者口腔内では、触針の高さを3〜4mm程度変化させ、それぞれゴシックアーチ描記をして２頂点が一致するように、触針の前方傾き角度を17度から適当に再調整する。この調整は、支持板（50）の締螺子（54）を回して緩めたり締めたりすることによりボール（40）の角度を微調整するだけでよい。このようにボール（40）を回転させて必要に応じたセッティングができるのは、図１１に示すようにボール（40）と支持板（50）及び基板（60）の弧形溝（53）が面接触している状態で締螺子（54）を締めれば、支持板（50）及び基板（60）の弧形溝（53）がボール（40）表面を押して締めるからである。
【００６０】
また、触針（5）が螺子部（5e）でボール（40）に螺合されているため、触針（5）を回せば高低を容易に調整できる。この調整をするのは、たとえば義歯患者ではない有歯顎患者の場合、触針（5）の先端針（5a）が図２に示す咬合平面（3c）より上にあってこそ上顎と下顎の歯牙（４）が相互相接せずに下顎と一緒に上記記録装置が移動（前方及び側方）できるからである。
【００６１】
このようにして記録装置（100）の触針（5）を位置及び角度調整した後、この触針（5）を記録板（1）に当てた状態で前方及び側方へ下顎を動かせば、図１のようなゴシックアーチ描記を記録することができ、その頂点（2）、側方限界運動路（2b）及び前方限界運動路（2a）を収得できる。その後、口腔外部に記録板を取出して固定板（fixed  aperture）の孔を頂点（2）に合う位置にワックスで固めて固定し、口腔内に再び装着させた後、患者をして孔に触針が入るように噛ませて上顎と下顎の歯牙と弧形基板（60）の間を別途の柔らかい結合体（図示していない）で充填させて堅固に固めれば、上下顎顎間関係が完成される。このようにして記録した記録装置（100）と記録板（1）と記録されたバイト物質（bite  material；結合体）を患者から分離し、この状態で咬合機の上下顎模型で上記記録を基にその記録のまま再付着すればよい（このようになった咬合状態を有し咬合機状態で診断して治療する）。
【００６２】
さらに、1）校正補綴及び校正前全体歯牙の咬合調整を必要とする患者や、2）誤って完成された入歯患者や、3）顎関節機能障害患者でスプリント（SPLINT）装着患者などの場合、口腔内に本装置を装着し、口腔内で正しく校正できるように図９の触針（固定触針）で中心位顎間関係をとった後、図２１の触針（スプリング触針）に交替し、図２３に示す状態のまま、口腔内で使用するようにすればよい。この触針（5）では、先端針（5a）が先端針棒（5k）と一体に棒部（rod  parts）（5d）内の触針溝（5f）でスプリング（5m）の弾発力を受けるため、患者が上顎を徐々に噤めば先端針（5a）が上記記録板（1）から下向きの力を受けて触針溝（5f）に沿い下降する。このとき、異常に長い歯牙などによって下降が中止された場合には、医者はこれをチェックし、研磨等で咬合調整（occulusal  adjustment）をすることができる。したがって、下顎の中心位顎間関係の異常を未然に予防した後、補綴などを行なうことも可能になる。
【００６３】
本発明は、以上の記載及び図面により特定されたものに限らず、本発明の技術的思想を外れない範囲内で様々な置換、変形及び変形が可能であることは、本発明が属する技術分野で通常の知識を有する者において明白である。
【００６４】
【発明の効果】
以上のように本発明は、触針をボールに螺合してボールを必要に応じて回転及び固定できるように支持板に結合される構成をなすため、触針角度を簡単に調整し使用することができる。
【００６５】
また、触針を保持するナットとして機能する部材をボールとし、その内部にシリンダー溝を形成して触針の螺子体と螺合する構成とすれば、シリンダーにより触針の揺れを減らしてこれを安定的に支持することができる。基板と支持針板がボールを同時に固定するため、ボールを固定させる手段の高さ寸法が低くなり、また着用が簡単である。さらに、触針としてその先端針がスプリングで付勢されたものを用いることにより、口腔内で直接咬合調整できる効果が得られる。
【図面の簡単な説明】
【図１】  一般的な記録板に記録された描記形態を図示した図面である。
【図２】  一般的な下顎骨の斜視図である。
【図３】  一般的な上顎骨の側面図である。
【図４】  一般的な上顎骨の底面図である。
【図５】  一般的な無歯顎状態の下顎骨の側面図である。
【図６】  図５の下顎骨の底面図である。
【図７】  一般的な下顎骨の側面図である。
【図８】  一般的な下顎骨の咬合平面上で触針の移動を示す説明図である。
【図９】  従来の記録装置の一例を表す平面図である。
【図１０】  図９のA-A線断面図である。
【図１１】  図１０の状態で触針を使用して記録板を上顎骨に安置させる場合を説明する断面図である。
【図１２】  従来の触針を媒介で一時支持されるキャップと、キャップに一時結合される記録板とを示す分解斜視図である。
【図１３】  本発明の実施の形態にかかる記録装置を有歯顎患者に適用した状態を示す平面図である。
【図１４】  本発明の実施の形態にかかる記録装置を無歯顎患者に適用した場合を表す平面図である。
【図１５】  図１３のB-B線断面図である。
【図１６】  本発明にかかる記録装置を無歯顎患者に使用した状態を表す断面図である。
【図１７】  前記記録装置で使用される記録板の例を示す斜視図である。
【図１８】  本発明にかかる付着基準台の使用状態を表す分解斜視図である。
【図１９】  本発明にかかる付着基準台の他の例を表す分解斜視図である。
【図２０】  図１９に示す付着基準台の組立状態を示す断面図である。
【図２１】  本発明において使用される触針の他の例を表す断面図である。
【図２２】  図２１に示す触針の分解断面図である。
【図２３】  図２１及び図２２に示す触針の使用状態を示す断面図である。
【符号の説明】
1 記録板
1a  結合体
1b  針挿入孔
1d  結合突起
1e  ゴシックアーチ描記（Gothic  Arch  Tracing）予想部
1f  固定アパーチャ（fixed  aperture）
2 頂点
2a  前方限界運動路（Protrusive  border  movement  path）
2b  側方限界運動路（Lateral  border  movement  path）
3 下顎骨（Mandible）
3a  水平基準軸（Horizontal  axis）
3b  ボンウィル三角（Bonwill  Triangle）
3c咬合平面
3d  正中矢状平面（Median  sagittal  plane）
3e  交差点
3f  バルクウィル角（Balkwill  angle）
4 歯牙
4a  下顎第１大臼歯（Mandibular  first  molar）
4b  下顎第１大臼歯中心窩（Central  fossa  of  Mandibular  first  molar）
5 触針
5a  先端針
5b  弾発針
5c  スプリング
5d  棒部
5k  先端針棒
5l  先端針ストッパー
5m  スプリング
6 支持板
6a  案内溝
7 翼板
8 螺子
9 結合部材
10  針金
11  キャップ
20  記録装置
30  上顎開口面
31  上顎骨
40  ボール
50  支持板
53  弧形溝（曲面溝）
54  締螺子
70  支持針
71  螺子
90  付着基準台
91  先端針溝
92  左右水平線
93  弧形水平帯
94  直交線
95  深さ測定バー
100 記録装置
【図１】
0003815916.tif 000002
【図２】
0003815916.tif 000003
【図３】
0003815916.tif 000004
【図４】
0003815916.tif 000005
【図５】
0003815916.tif 000006
【図６】
0003815916.tif 000007
【図７】
0003815916.tif 000008
【図８】
0003815916.tif 000009
【図９】
0003815916.tif 000010
【図１０】
0003815916.tif 000011
【図１１】
0003815916.tif 000012
【図１２】
0003815916.tif 000013
【図１３】
0003815916.tif 000014
【図１４】
0003815916.tif 000015
【図１５】
0003815916.tif 000016
【図１６】
0003815916.tif 000017
【図１７】
0003815916.tif 000018
【図１８】
0003815916.tif 000019
【図１９】
0003815916.tif 000020
【図２０】
0003815916.tif 000021
【図２１】
0003815916.tif 000022
【図２２】
0003815916.tif 000023
【図２３】
0003815916.tif 000024